(57)【要約】【課題】  発光スキームの変化方向によらず、擬似輪郭の発生を未然に防ぐことができる映像処理回路及び該映像処理回路を用いた映像表示装置、映像処理方法及び該映像処理方法を用いた映像表示方法を提供する。【解決手段】  映像信号Ｓ１と、１フィールド分だけ遅延させた映像信号Ｓ３とを入力して、映像信号Ｓ１の信号レベルが映像信号Ｓ３の信号レベルより大きい場合、動き検出結果Ｓ４を出力し、映像信号Ｓ１の信号レベルが映像信号Ｓ３の信号レベルより小さい場合、動き検出結果Ｓ５を出力し、動き検出結果Ｓ４に基づいてフラグＦ１を立てるとともに点灯パターンを切り替えた映像信号Ｓ６を１フィールド分だけ遅延させた映像信号Ｓ８を出力し、動き検出結果Ｓ５及びフラグＦ１に基づいて映像信号Ｓ８の点灯パターンを切り替える。【選択図】  図１
2005049683.tif 000002
【特許請求の範囲】
【請求項１】
第１の映像信号と、所定のフィールド分だけ遅延させた第２の映像信号とを入力して、前記第１の映像信号の信号レベルが前記第２の映像信号の信号レベルより大きい場合、第１の動き検出結果を出力し、前記第１の映像信号の信号レベルが前記第２の映像信号の信号レベルより小さい場合、第２の動き検出結果を出力する比較回路と、
前記第１の映像信号を入力し、前記比較回路が出力する第１の動き検出結果に基づいて点灯パターンを切り替えるとともに、所定のフラグを立て、所定のフィールド分だけ遅延させた第３の映像信号を出力する第１の切替回路と、
該第１の切替回路が出力する第３の映像信号を入力し、前記比較回路が出力する第２の動き検出結果及び前記第３の映像信号のフラグに基づいて点灯パターンを切り替える第２の切替回路と
を具備することを特徴とする映像処理回路。
【請求項２】
前記比較回路は、
擬似輪郭が発生し易い値の近傍について、前記第１の映像信号の信号レベルと、前記第２の映像信号の信号レベルとを比較する
ことを特徴とする請求項１に記載の映像処理回路。
【請求項３】
前記第１の切替回路は、
前記第１の動き検出結果が、動き有りを示す場合、
前記第１の映像信号を発光スキームの連続する諧調に階調変換し、該変換後の映像信号を多階調化するとともに、前記フラグを立てて、所定のフィールド分だけ遅延させた第３の映像信号を出力する
ことを特徴とする請求項１又は請求項２に記載の映像処理回路。
【請求項４】
前記第１の切替回路は、
前記第１の動き検出結果が動き有りを示す画素について、前記階調変換及び多階調化処理を行う
ことを特徴とする請求項１から請求項３のいずれかの項に記載の映像処理回路。
【請求項５】
前記第１の切替回路は、
前記第１の動き検出結果が、動き無しを示す場合、
前記フラグを立てず、前記第１の映像信号を所定のフィールド分だけ遅延させた第３の映像信号を出力する
ことを特徴とする請求項１から請求項３のいずれかの項に記載の映像処理回路。
【請求項６】
前記第２の切替回路は、
前記第２の動き検出結果が動き有りを示すとともに、前記フラグが立っている場合、点灯パターンを切り替えずに、前記第３の映像信号を出力する
ことを特徴とする請求項１から請求項３のいずれかの項に記載の映像処理回路。
【請求項７】
前記第２の切替回路は、
前記第２の動き検出結果が動き無しを示すとともに、前記フラグが立っている場合、点灯パターンを切り替えずに、前記第３の映像信号を出力する
ことを特徴とする請求項１から請求項３のいずれかの項に記載の映像処理回路。
【請求項８】
前記第２の切替回路は、
前記第２の動き検出結果が動き有りを示すとともに、前記フラグが立っていない場合、点灯パターンを切り替えて、前記第３の映像信号を出力する
ことを特徴とする請求項１から請求項３のいずれかの項に記載の映像処理回路。
【請求項９】
前記第２の切替回路は、
前記第２の動き検出結果が動き無しを示すとともに、前記フラグが立っていない場合、点灯パターンを切り替えずに、前記第３の映像信号を出力する
ことを特徴とする請求項１から請求項３のいずれかの項に記載の映像処理回路。
【請求項１０】
前記第２の切替回路は、点灯パターン切り替え処理後、前記フラグを除いて前記第３の映像信号を出力する
ことを特徴とする請求項１から請求項３のいずれかの項に記載の映像処理回路。
【請求項１１】
第１の映像信号と、１フィールド分だけ遅延させた第２の映像信号とを入力して、前記第１の映像信号の信号レベルが前記第２の映像信号の信号レベルより大きい場合、第１の動き検出結果を出力し、前記第１の映像信号の信号レベルが前記第２の映像信号の信号レベルより小さい場合、第２の動き検出結果を出力する比較回路と、
前記第１の映像信号を入力し、前記比較回路が出力する第１の動き検出結果に基づいて点灯パターンを切り替えるとともに、所定のフラグを立て、１フィールド分だけ遅延させた第３の映像信号を出力する第１の切替回路と、
該第１の切替回路が出力する第３の映像信号を入力し、前記比較回路が出力する第２の動き検出結果及び前記第３の映像信号のフラグに基づいて点灯パターンを切り替える第２の切替回路と
を具備することを特徴とする映像処理回路。
【請求項１２】
第１の映像信号と、所定のフィールド分だけ遅延させた第２の映像信号とを入力して、前記第１の映像信号の信号レベルが前記第２の映像信号の信号レベルより大きい場合、第１の動き検出結果を出力し、前記第１の映像信号の信号レベルが前記第２の映像信号の信号レベルより小さい場合、第２の動き検出結果を出力し、
前記第１の映像信号を入力し、前記第１の動き検出結果に基づいて点灯パターンを切り替えるとともに、所定のフラグを立て、所定のフィールド分だけ遅延させた第３の映像信号を出力し、
該第３の映像信号を入力し、前記第２の動き検出結果及び前記フラグに基づいて点灯パターンを切り替える
ことを特徴とする映像処理方法。
【請求項１３】
前記第１の映像信号の信号レベルと、前記第２の映像信号の信号レベルの比較は、擬似輪郭が発生し易い値の近傍について行う
ことを特徴とする請求項１２に記載の映像処理方法。
【請求項１４】
前記第１の動き検出結果が、動き有りを示す場合、
前記第１の映像信号を発光スキームの連続する諧調に階調変換し、該変換後の映像信号を多階調化するとともに、前記フラグを立てて、所定のフィールド分だけ遅延させた第３の映像信号を出力する
ことを特徴とする請求項１２又は請求項１３に記載の映像処理方法。
【請求項１５】
前記階調変換及び多階調化処理は、前記第１の動き検出結果が、動き有りを示す画素について行う
ことを特徴とする請求項１２から請求項１４のいずれかの項に記載の映像処理方法。
【請求項１６】
前記第１の動き検出結果が、動き無しを示す場合、
前記フラグを立てず、前記第１の映像信号を所定のフィールド分だけ遅延させた第３の映像信号を出力する
ことを特徴とする請求項１２から請求項１４のいずれかの項に記載の映像処理方法。
【請求項１７】
前記第２の動き検出結果が動き有りを示すとともに、前記フラグが立っている場合、点灯パターンを切り替えずに、前記第３の映像信号を出力する
ことを特徴とする請求項１２から請求項１４のいずれかの項に記載の映像処理方法。
【請求項１８】
前記第２の動き検出結果が動き無しを示すとともに、前記フラグが立っている場合、点灯パターンを切り替えずに、前記第３の映像信号を出力する
ことを特徴とする請求項１２から請求項１４のいずれかの項に記載の映像処理方法。
【請求項１９】
前記第２の動き検出結果が動き有りを示すとともに、前記フラグが立っていない場合、点灯パターンを切り替えて、前記第３の映像信号を出力する
ことを特徴とする請求項１２から請求項１４のいずれかの項に記載の映像処理方法。
【請求項２０】
前記第２の動き検出結果が動き無しを示すとともに、前記フラグが立っていない場合、点灯パターンを切り替えずに、前記第３の映像信号を出力する
ことを特徴とする請求項１２から請求項１４のいずれかの項に記載の映像処理方法。
【請求項２１】
点灯パターン切り替え処理後、前記第３の映像信号は、フラグを除いて出力される
ことを特徴とする請求項１２から請求項１４のいずれかの項に記載の映像処理方法。
【請求項２２】
第１の映像信号と、１フィールド分だけ遅延させた第２の映像信号とを入力して、前記第１の映像信号の信号レベルが前記第２の映像信号の信号レベルより大きい場合、第１の動き検出結果を出力し、前記第１の映像信号の信号レベルが前記第２の映像信号の信号レベルより小さい場合、第２の動き検出結果を出力し、
前記第１の映像信号を入力し、前記第１の動き検出結果に基づいて点灯パターンを切り替えるとともに、所定のフラグを立て、１フィールド分だけ遅延させた第３の映像信号を出力し、
該第３の映像信号を入力し、前記第２の動き検出結果及び前記フラグに基づいて点灯パターンを切り替える
ことを特徴とする映像処理方法。
【請求項２３】
第１の映像信号と、所定のフィールド分だけ遅延させた第２の映像信号とを入力して、前記第１の映像信号の信号レベルが前記第２の映像信号の信号レベルより大きい場合、第１の動き検出結果を出力し、前記第１の映像信号の信号レベルが前記第２の映像信号の信号レベルより小さい場合、第２の動き検出結果を出力する比較回路部と、
前記第１の映像信号を入力し、前記比較回路が出力する第１の動き検出結果に基づいて点灯パターンを切り替えるとともに、所定のフラグを立て、所定のフィールド分だけ遅延させた第３の映像信号を出力する第１の切替回路部と、
該第１の切替回路が出力する第３の映像信号を入力し、前記比較回路が出力する第２の動き検出結果及び前記第３の映像信号のフラグに基づいて点灯パターンを切り替える第２の切替回路部と
該第２の切替回路部が出力する映像信号に基づいて、映像を表示する表示部と
を具備することを特徴とする映像表示装置。
【請求項２４】
第１の映像信号と、所定のフィールド分だけ遅延させた第２の映像信号とを入力して、前記第１の映像信号の信号レベルが前記第２の映像信号の信号レベルより大きい場合、第１の動き検出結果を出力し、前記第１の映像信号の信号レベルが前記第２の映像信号の信号レベルより小さい場合、第２の動き検出結果を出力し、
前記第１の映像信号を入力し、前記第１の動き検出結果に基づいて点灯パターンを切り替えるとともに、所定のフラグを立て、所定のフィールド分だけ遅延させた第３の映像信号を出力し、
該第３の映像信号を入力し、前記第２の動き検出結果及び前記フラグに基づいて点灯パターンを切り替え、
該第３の映像信号に基づいて、映像を表示する
ことを特徴とする映像表示方法。
【発明の詳細な説明】
【技術分野】
【０００１】
本発明は、ＰＤＰ（プラズマディスプレイパネル）における、映像処理回路及び該映像処理回路を用いた映像表示装置、映像処理方法及び該映像処理方法を用いた映像表示方法に関する。
【背景技術】
【０００２】
近年、ＰＤＰは、輝度やコントラスト向上などの画質改善が図られてきており、大画面フラットディスプレイとして多用されるようになってきている。
このＰＤＰにおいて、ＡＣ型ＰＤＰでは一般的に、階調表現を行うため、画素の点灯制御にサブフィールド方式が用いられている。
【０００３】
図５は８サブフィールドで、２５６階調を表示する時のサブフィールドシーケンスである。図５に示すように、各サブフィールドは、アドレス期間とサステイン期間を有し、アドレス期間は各サブフィールドで同じだが、サステイン期間は、各サブフィールドで異なる。図５に示す各サブフィールドの下の数字は、そのサブ フィールドの重み付けであり、その比率でそのサブ フィールドに与えられるサステインパルスの数が増えて行くため、サステイン期間もそれに順じて長くなって行く。
【０００４】
この各サブ フィールドの点灯／非点灯の組み合わせで階調表現を行う。
また、図６は、２５６階調表示の時に、実際に表示される階調と点灯するサブフィールドの組み合わせを表した図であり、○印のサブフィールドが点灯するサブフィールドである。
各サブフィールドのサステイン期間の間には、アドレス期間が入るため、実際の発光は不連続だが、人間の目には残像効果があるために、各サブフィールドの発光が積分されて行き、連続する発光に見える。重み付けの異なるサブフィールドの組み合わせで発光の総量が変われば、明るさの変化と認識されて、階調表現が成される。
【０００５】
しかし、この階調表現方式では、動画像表示を行う時にはサブフィールド方式固有の擬似輪郭と呼ばれる現象が現れる。擬似輪郭は、発光スキームが大きく変わるところで発生する。ここで、発光スキームとは、異なるサブフィールドの組み合わせをいう。
【０００６】
従来、この動画擬似輪郭を解消する手段の一つとして、フレーム間で動き検出を行い、検出された動き部分に対して、発光スキームの連続する階調だけを適用して対処するという方法が知られている（非特許文献１を参照）。
この方法によれば、現状の表示性能を維持したまま動画擬似輪郭を低減することができるという点で有効である。
【０００７】
図７は、このサブフィールドシークエンスを用いて階調表現された画面の例を示す。
図７に示すように、背景の階調１２７／２５５の上に、１２８／２５５の四角いウィンドウが表示されている。画像が静止している時には、重み付けの異なるサブフィールドの組み合わせにより正常な階調表現がなされる。
【０００８】
図８は図７の画像における階調１２８／２５５のウィンドウ部分だけが右にスクロールlする様子を表したものである。静止している時には無かった、ウィンドウの前縁及び後縁にそれぞれ暗部と明部が出現する。
この明部と暗部が擬似輪郭と呼ばれるもので、階調の変化がなだらかに連続するような画像においては、現実には１階調ずつの差しかない部分に、このような本来は無いはずの明暗が現れ、等高縁のように見えて、動画像表示時の品位を著しく損なう要因となる。
明部及び暗部の幅は、移動する速度によって変わり、移動が速ければ、一般的にはその幅も広くなる。
【０００９】
図９はこの擬似輪郭の発生原理を説明する図である。図９におけるサブフィールド番号（ＳＦ１〜８）は点灯しているサブフィールドを意味し、図５、６のサブフィールド番号に相当する。現実にはアドレス期間が存在するために、時間的に厳密には１フィールド期間中の全てをサステイン期間が占める、言い換えれば発光時間が占めるわけではないが、図９では便宜上、そのような様子を示す。
図８の動いている階調１２８／２５５のウィンドウ部分の前縁部（矢印方向）において、人間の目はその前縁部を追いかける。しかし、目には残像効果が有るために、前縁部に着目している目には、先にまず背景の１２７の発光が入って来る。そしてその後でウィンドウ部の１２８の発光が入る。その様子を表したのが図９である。
【００１０】
この時、図９からわかるように、１２７と１２８とでは点灯するサブフィールドの組み合わせが大きく変わる。そのため、図９に示したように、１２７から１２８の変化点では発光しない時間が長くなる。すると、人間の目には輝度が下がって見え、図８に示した暗部が出現する。
反対にウィンドウ後縁では今と逆のことが起こり、１２８と１２７の発光が近接するため人間の目には明るく映り、図８の明部が出現する。
【００１１】
擬似輪郭の発生度合いはある程度予測することができ、具体的には図６あるいは図１０のようなサブフィールド配列表を見て７と８、１５と１６のように、発光スキームが大きく変化する階調の境目において、擬似輪郭の程度も大きくなる。
この点に着目すると、擬似輪郭の発生する近傍の階調に対してだけ、動きの検出及び処理を行うことによって、効率良く擬似輪郭の低減を行うことができる。
擬似輪郭の低減手法として、動いている画素に対して、図１１に表したような、発光スキームが連続する、間に点灯しないサブフィールドが無い階調だけを用いて表示を行うことは、スキームの変化が小さくなるので、擬似輪郭の低減に対して有効である。
図１１では部分的にしか書かれていないが、８SFで２５６階調表示の場合、発光スキームが連続する階調は、
０、１、３、７、１５、３１、６３、１２７、２５５
の９階調有る。当然このままでは９階調しか表現されなくなってしまうので、２５６階調表示のためには、誤差拡散等の多諧調化処理を用いる。しかし多諧調化処理をしたとしても、全ての画素に対して、この限られた階調だけで表示を行うことは、やはり階調表現が荒くなってしまうので望ましくない。
そこで、従来、図１２に例示するように、フィールドメモリを用いて、１フィールド前の信号と比較し、その大きさの差から動いているかどうかを判断し、動いていない時には入力された映像信号をそのまま、動いている場合には連続する階調だけを使う処理をした信号を出力するようにして、適応的な処理をしている。
【非特許文献１】川原功、関本邦夫。“高精細PDPのための動画擬似輪郭抑制方式の開発”（２０００年映像情報メディア学会年次大会,講演予稿集，，pp．３６９−３７０）
【発明の開示】
【発明が解決しようとする課題】
【００１２】
しかし、従来の擬似輪郭低減方法は、ある程度の効果が得られるものの、発光スキームの変化方向によっては逆効果になる場合もあり得る。
以下、その理由を説明する。図１０は、図６の表示諧調と点灯するサブフィールドの組み合わせの内容を実際の発光時間に則して表したものである。
【００１３】
また図１３は、図７及び８のようなウィンドウで階調の組み合わせが７と８である場合を示す。
図１３において、（ａ）は前のフィールド、（ｂ）が現在のフィールドを示し、（ａ）〜（ｃ）の３つの図にまたがる点線は、２つのフィールド間でのウィンドウの移動量を表す。また、図１３の（ｃ）中の斜線部ＡとＢは、動き検出の結果、動きと判断される領域を示している。
「動き有り」と判断された結果は、現在のフィールドに反映され、Ａ及びＢに相当する図１３の（ｂ）におけるウィンドウ内の右部分及びウィンドウの左端に隣接する背景の該当箇所にそれぞれ、発光スキームが連続する諧調が適用される。
【００１４】
図１４は図１３のＡ、Ｂそれぞれの箇所の、前フィールドの階調と現フィールドに適用される階調を表す。
Ａの部分については、階調８をスキームが連続する諧調だけで表現するために階調７と１５を用い、誤差拡散等の処理を行って８を表現する。
また、Ｂの部分については、階調７は元々スキームが連続しているので、そのまま階調７で表現する。
ここで、図１０を参照して、Ａ部分について前フィールドの階調と、現フィールドの階調の組み合わせを見てみる。前フィールドの７に対して、現フィールドは７と１５なので、図１０ではいずれも発光スキームが連続しているので、元の現フィールドの階調８に比べると発光スキームの乱れが少なくなり、擬似輪郭が低減される。
ところが、Ｂ部分について見てみると、現フィールドが発光スキームが連続した階調で表現されたとしても、前フィールドが発光スキームにすでに間隙の有る階調８であることから擬似輪郭を低減することができないという問題点があった。
【００１５】
本発明は、このような事情を考慮してなされたものであり、その目的は、発光スキームの変化方向によらず、擬似輪郭の発生を未然に防ぐことができる映像処理回路及び該映像処理回路を用いた映像表示装置、映像処理方法及び該映像処理方法を用いた映像表示方法を提供することにある。
【課題を解決するための手段】
【００１６】
この発明は上記の課題を解決すべくなされたもので、本発明は、第１の映像信号と、所定のフィールド分だけ遅延させた第２の映像信号とを入力して、前記第１の映像信号の信号レベルが前記第２の映像信号の信号レベルより大きい場合、第１の動き検出結果を出力し、前記第１の映像信号の信号レベルが前記第２の映像信号の信号レベルより小さい場合、第２の動き検出結果を出力する比較回路と、前記第１の映像信号を入力し、前記比較回路が出力する第１の動き検出結果に基づいて点灯パターンを切り替えるとともに、所定のフラグを立て、所定のフィールド分だけ遅延させた第３の映像信号を出力する第１の切替回路と、該第１の切替回路が出力する第３の映像信号を入力し、前記比較回路が出力する第２の動き検出結果及び前記第３の映像信号のフラグに基づいて点灯パターンを切り替える第２の切替回路とを具備することを特徴とする。
【００１７】
また、本発明は、前記比較回路は、擬似輪郭が発生し易い値の近傍について、前記第１の映像信号の信号レベルと、前記第２の映像信号の信号レベルとを比較することを特徴とする。
【００１８】
また、本発明は、前記第１の切替回路は、前記第１の動き検出結果が、動き有りを示す場合、前記第１の映像信号を発光スキームの連続する諧調に階調変換し、該変換後の映像信号を多階調化するとともに、前記フラグを立てて、所定のフィールド分だけ遅延させた第３の映像信号を出力することを特徴とする。
【００１９】
また、本発明は、前記第１の切替回路は、前記第１の動き検出結果が動き有りを示す画素について、前記階調変換及び多階調化処理を行うことを特徴とする。
【００２０】
また、本発明は、前記第１の切替回路は、前記第１の動き検出結果が、動き無しを示す場合、前記フラグを立てず、前記第１の映像信号を所定のフィールド分だけ遅延させた第３の映像信号を出力することを特徴とする。
【００２１】
また、本発明は、前記第２の切替回路は、前記第２の動き検出結果が動き有りを示すとともに、前記フラグが立っている場合、点灯パターンを切り替えずに、前記第３の映像信号を出力することを特徴とする。
【００２２】
また、本発明は、前記第２の切替回路は、前記第２の動き検出結果が動き無しを示すとともに、前記フラグが立っている場合、点灯パターンを切り替えずに、前記第３の映像信号を出力することを特徴とする。
【００２３】
また、本発明は、前記第２の切替回路は、前記第２の動き検出結果が動き有りを示すとともに、前記フラグが立っていない場合、点灯パターンを切り替えて、前記第３の映像信号を出力することを特徴とする。
【００２４】
また、本発明は、前記第２の切替回路は、前記第２の動き検出結果が動き無しを示すとともに、前記フラグが立っていない場合、点灯パターンを切り替えずに、前記第３の映像信号を出力することを特徴とする。
【００２５】
また、本発明は、前記第２の切替回路は、点灯パターン切り替え処理後、前記フラグを除いて前記第３の映像信号を出力することを特徴とする。
【００２６】
また、本発明は、第１の映像信号と、１フィールド分だけ遅延させた第２の映像信号とを入力して、前記第１の映像信号の信号レベルが前記第２の映像信号の信号レベルより大きい場合、第１の動き検出結果を出力し、前記第１の映像信号の信号レベルが前記第２の映像信号の信号レベルより小さい場合、第２の動き検出結果を出力する比較回路と、前記第１の映像信号を入力し、前記比較回路が出力する第１の動き検出結果に基づいて点灯パターンを切り替えるとともに、所定のフラグを立て、１フィールド分だけ遅延させた第３の映像信号を出力する第１の切替回路と、該第１の切替回路が出力する第３の映像信号を入力し、前記比較回路が出力する第２の動き検出結果及び前記第３の映像信号のフラグに基づいて点灯パターンを切り替える第２の切替回路とを具備することを特徴とする。
【００２７】
また、本発明は、第１の映像信号と、所定のフィールド分だけ遅延させた第２の映像信号とを入力して、前記第１の映像信号の信号レベルが前記第２の映像信号の信号レベルより大きい場合、第１の動き検出結果を出力し、前記第１の映像信号の信号レベルが前記第２の映像信号の信号レベルより小さい場合、第２の動き検出結果を出力し、前記第１の映像信号を入力し、前記第１の動き検出結果に基づいて点灯パターンを切り替えるとともに、所定のフラグを立て、所定のフィールド分だけ遅延させた第３の映像信号を出力し、該第３の映像信号を入力し、前記第２の動き検出結果及び前記フラグに基づいて点灯パターンを切り替えることを特徴とする。
【００２８】
また、本発明は、前記第１の映像信号の信号レベルと、前記第２の映像信号の信号レベルの比較は、擬似輪郭が発生し易い値の近傍について行うことを特徴とする。
【００２９】
また、本発明は、前記第１の動き検出結果が、動き有りを示す場合、前記第１の映像信号を発光スキームの連続する諧調に階調変換し、該変換後の映像信号を多階調化するとともに、前記フラグを立てて、所定のフィールド分だけ遅延させた第３の映像信号を出力することを特徴とする。
【００３０】
また、本発明は、前記階調変換及び多階調化処理は、前記第１の動き検出結果が、動き有りを示す画素について行うことを特徴とする。
【００３１】
また、本発明は、前記第１の動き検出結果が、動き無しを示す場合、前記フラグを立てず、前記第１の映像信号を所定のフィールド分だけ遅延させた第３の映像信号を出力することを特徴とする。
【００３２】
また、本発明は、前記第２の動き検出結果が動き有りを示すとともに、前記フラグが立っている場合、点灯パターンを切り替えずに、前記第３の映像信号を出力することを特徴とする。
【００３３】
また、本発明は、前記第２の動き検出結果が動き無しを示すとともに、前記フラグが立っている場合、点灯パターンを切り替えずに、前記第３の映像信号を出力することを特徴とする。
【００３４】
また、本発明は、前記第２の動き検出結果が動き有りを示すとともに、前記フラグが立っていない場合、点灯パターンを切り替えて、前記第３の映像信号を出力することを特徴とする。
【００３５】
また、本発明は、前記第２の動き検出結果が動き無しを示すとともに、前記フラグが立っていない場合、点灯パターンを切り替えずに、前記第３の映像信号を出力することを特徴とする。
【００３６】
また、本発明は、点灯パターン切り替え処理後、前記第３の映像信号は、フラグを除いて出力されることを特徴とする。
【００３７】
また、本発明は、第１の映像信号と、１フィールド分だけ遅延させた第２の映像信号とを入力して、前記第１の映像信号の信号レベルが前記第２の映像信号の信号レベルより大きい場合、第１の動き検出結果を出力し、前記第１の映像信号の信号レベルが前記第２の映像信号の信号レベルより小さい場合、第２の動き検出結果を出力し、前記第１の映像信号を入力し、前記第１の動き検出結果に基づいて点灯パターンを切り替えるとともに、所定のフラグを立て、１フィールド分だけ遅延させた第３の映像信号を出力し、該第３の映像信号を入力し、前記第２の動き検出結果及び前記フラグに基づいて点灯パターンを切り替えることを特徴とする。
【００３８】
また、本発明は、第１の映像信号と、所定のフィールド分だけ遅延させた第２の映像信号とを入力して、前記第１の映像信号の信号レベルが前記第２の映像信号の信号レベルより大きい場合、第１の動き検出結果を出力し、前記第１の映像信号の信号レベルが前記第２の映像信号の信号レベルより小さい場合、第２の動き検出結果を出力する比較回路部と、前記第１の映像信号を入力し、前記比較回路が出力する第１の動き検出結果に基づいて点灯パターンを切り替えるとともに、所定のフラグを立て、所定のフィールド分だけ遅延させた第３の映像信号を出力する第１の切替回路部と、該第１の切替回路が出力する第３の映像信号を入力し、前記比較回路が出力する第２の動き検出結果及び前記第３の映像信号のフラグに基づいて点灯パターンを切り替える第２の切替回路部と該第２の切替回路部が出力する映像信号に基づいて、映像を表示する表示部とを具備することを特徴とする。
【００３９】
また、本発明は、第１の映像信号と、所定のフィールド分だけ遅延させた第２の映像信号とを入力して、前記第１の映像信号の信号レベルが前記第２の映像信号の信号レベルより大きい場合、第１の動き検出結果を出力し、前記第１の映像信号の信号レベルが前記第２の映像信号の信号レベルより小さい場合、第２の動き検出結果を出力し、前記第１の映像信号を入力し、前記第１の動き検出結果に基づいて点灯パターンを切り替えるとともに、所定のフラグを立て、所定のフィールド分だけ遅延させた第３の映像信号を出力し、該第３の映像信号を入力し、前記第２の動き検出結果及び前記フラグに基づいて点灯パターンを切り替え、該第３の映像信号に基づいて、映像を表示することを特徴とする。
【発明の効果】
【００４０】
以上説明したように、本発明によれば、第１の映像信号と、所定のフィールド分だけ遅延させた第２の映像信号とを入力して、第１の映像信号の信号レベルが第２の映像信号の信号レベルより大きい場合、第１の動き検出結果を出力し、第１の映像信号の信号レベルが第２の映像信号の信号レベルより小さい場合、第２の動き検出結果を出力し、第１の映像信号を入力し、第１の動き検出結果に基づいて点灯パターンを切り替えるとともに、所定のフラグを立て、所定のフィールド分だけ遅延させた第３の映像信号を出力し、第３の映像信号を入力し、第２の動き検出結果及びフラグに基づいて点灯パターンを切り替える。
したがって、発光スキームの変化方向によらず、擬似輪郭の発生を未然に防ぐことができる効果が得られる。
【発明を実施するための最良の形態】
【００４１】
以下、本発明を実施するための最良の形態について説明する。
【実施例１】
【００４２】
まず本発明の基本的な考え方について説明する。
上述したように、図１３に示すＢの部分において、現フィールドが発光スキームが連続した階調で表現されたとしても、前フィールドが発光スキームにすでに間隙の有る階調８であることから擬似輪郭を低減することができない。
この場合は、逆に、前フィールドの階調８の部分を、発光スキームが連続する階調で表現しておいた方が、擬似輪郭の低減効果が期待できる。しかし、動き検出を行う時点で、前フィールドは既に表示を終えた過去のフィールドであるため、何も対処することができないことになる。
すなわち、本発明は、２フィールド分のメモリを用いて動きを検出し、動きと検出された画素に対して、現在のフィールドの該当画素に対して連続諧調を適用する場合と、前のフィールドの該当画素に対して連続諧調を適用する場合とを、適応的に切り替えることによって、動きの方向によらず擬似輪郭の改善効果を得るものである。
【００４３】
以下、図面を参照して、本発明の映像処理回路の一実施形態について説明する。図１は、本実施形態の映像処理回路１の構成を示す構成図である。
本実施形態の映像処理回路１は、遅延回路１０と、比較回路２０と、階調数限定／多階調化処理回路３０と、切替回路４０と、判定回路５０と、遅延回路６０と、階調数限定／多階調化処理回路７０と、切替回路８０とから構成される。
【００４４】
遅延回路１０は、映像処理回路１に入力される映像信号Ｓ１を所定のフィールド分（以下、例として１フィールド分として説明する）遅延させ（この映像信号Ｓ１に対して１フィールド分だけ遅延した映像信号を映像信号Ｓ３とする）、比較回路２０に出力する。
ここで、遅延回路１０に入力される映像信号は、例えば、ＲＧＢ（レッド／グリーン／ブルーの３原色利用）方式のデジタルデータである。
【００４５】
比較回路２０は、映像信号Ｓ１と映像信号Ｓ３とを入力し、映像信号Ｓ１の信号レベルと映像信号Ｓ３の信号レベルとを比較する。
映像信号Ｓ１の信号レベルが映像信号Ｓ３の信号レベルより大きい場合、比較回路２０は、動き検出結果Ｓ４を切替回路４０に出力し、映像信号Ｓ１の信号レベルが映像信号Ｓ３の信号レベルより小さい場合、動き検出結果Ｓ５を判定回路５０に出力する。尚、比較回路２０は、発光スキームに基づいて、予め設定される擬似輪郭が発生し易い値の近傍について、映像信号Ｓ１の信号レベルと、映像信号Ｓ３の信号レベルとを比較する。
【００４６】
換言すれば、比較回路２０は、擬似輪郭が発生し易い値の近傍について、遅延回路１０の入力信号Ｓ１と出力信号Ｓ３とを比較する。そして、予め分かっている発光スキームに差が有る場合であって、出力信号Ｓ３の信号レベルより入力信号Ｓ１の信号レベルの方が大きい場合、すなわち、発光スキームの変化が、信号レベルが大きくなる方向に起きている場合と、逆に発光スキームの変化が信号レベルが小さくなる方向に起きている場合とで、それぞれ別の出力に、動き有り／なしを表す動き検出結果Ｓ４、Ｓ５を出力する。
【００４７】
階調数限定／多階調化処理回路３０は、発光スキームが不連続な階調で表現された映像信号Ｓ１を発光スキームが連続する階調（図１１に示す７階調）だけで表現し、かつ、もとの階調数（本実施形態においては、２５６階調）をその連続する階調だけで多諧調化（例えば、誤差拡散処理）して（この映像信号Ｓ１を発光スキームが連続する階調に変換した映像信号を映像信号Ｓ２とする）、切替回路４０に出力する。
ここで、発光スキームが連続する階調とは、図１１に示す、表示階調０、１、３、７、１５、３１、６３、１２７、２５５のように、連続するサブフィールド番号（なし、１、１〜２、１〜３、１〜４、１〜５、１〜６、１〜７、１〜８）がすべて点灯しているもののみからなる階調である。
【００４８】
切替回路４０は、映像信号Ｓ１を入力し、比較回路が出力する動き検出結果Ｓ４に基づいて点灯パターンを切り替えるとともに、フラグＦ１を立て、遅延回路６０において１フィールド分だけ遅延させた映像信号Ｓ６を階調数限定／多階調化処理回路７０、切替回路８０に出力する。また、このとき、同時に、フラグＦ１のみを判定回路５０に出力する。
ここで、点灯パターンの切り替えとは、図１０に示す発光スキームが不連続な階調で表現された映像信号Ｓ１と、発光スキームが連続する階調だけで表現され、かつ、もとの階調数がその連続する階調だけで多諧調化された映像信号Ｓ２とを切り替えることを示す。
【００４９】
具体的には、切替回路４０は、動き検出結果Ｓ４が動き有りを示す画素について、階調数限定／多階調化処理回路３０において階調変換及び多階調化処理された映像信号Ｓ２を出力する場合、フラグＦ１を立て、映像信号Ｓ２を遅延回路６０において１フィールド分だけ遅延させた映像信号Ｓ６を出力する。
一方、動き検出結果Ｓ４が動き無しを示す場合、切替回路４０は、フラグＦ１を立てず、映像信号Ｓ１を遅延回路６０において、１フィールド分だけ遅延させた映像信号Ｓ６を出力する。
換言すれば、切替回路４０は、比較回路２０の出力信号Ｓ４、Ｓ５のうち、信号レベルが大きくなる方向の出力信号Ｓ４を入力し、出力信号Ｓ４の有無に基づいて、入って来た映像信号Ｓ１そのものと階調数限定／多階調化処理回路３０の出力信号Ｓ２とを切り換えて出力する。このとき、切替回路４０は、比較回路２０において、動き有りと判断された画素については、階調数限定／多階調化処理回路３０で発光スキームが連続化された映像信号Ｓ２を出力し、そうでない時は、元の映像信号Ｓ１を出力する。
その際、切替回路４０は、出力の映像信号Ｓ６には、元来必要な映像信号ビットに加えて、比較回路２０の後段の判定回路５０で階調数限定／多階調化処理回路３０が選択されたことを示すフラグＦ１として、所定のフラグビットを付加し、階調数限定／多階調化処理回路３０が選択された画素については、このフラグを立てて出力する。
【００５０】
判定回路５０は、比較回路２０が出力する動き検出結果Ｓ５及び映像信号Ｓ６に付加されたフラグＦ１を入力し、点灯パターンの切替判定結果Ｓ７を切替回路８０に出力する。
具体的には、判定回路５０は、比較回路２０の出力信号Ｓ４、Ｓ５のうち、信号レベルが小さくなる方向の出力信号Ｓ５と、遅延回路６０の出力信号Ｓ６のうち、フラグＦ１だけとを入力し、フラグＦ１の有無に基づいて、比較回路２０の出力信号Ｓ５をそのまま切替回路８０に出力する（つまり、切替判定結果Ｓ７を出力する）、あるいは、切替回路８０に何も出力しない（つまり、切替判定結果Ｓ７を出力しない）。
具体的には、動き検出結果Ｓ５が動き有りを示すとともに、フラグＦ１が立っている場合、判定回路５０は、切替回路８０に何も出力しない。また、動き検出結果Ｓ５が動き無しを示すとともに、フラグＦ１が立っている場合、判定回路５０は、同様に、切替回路８０に何も出力しない。
一方、動き検出結果Ｓ５が動き有りを示すとともに、フラグＦ１が立っていない場合、判定回路５０は、切替判定結果Ｓ７として、比較回路２０の出力信号Ｓ５をそのまま切替回路８０に出力する。
一方、動き検出結果Ｓ５が動き無しを示すとともに、フラグＦ１が立っていない場合、判定回路５０は、切替回路８０に何も出力しない。
【００５１】
遅延回路６０は、遅延回路１０と同様に、切替回路４０より入力する映像信号Ｓ６を、フラグＦ１が立っている場合にはそのフラグＦ１を付加したまま、１フィールド分遅延させ（この映像信号Ｓ６に対して１フィールド分だけ遅延した映像信号を映像信号Ｓ８とする）、判定回路５０、階調数限定／多階調化処理回路７０、切替回路８０に出力する。
【００５２】
階調数限定／多階調化処理回路７０は、階調数限定／多階調化処理回路３０と同様の回路であって、遅延回路６０が出力する映像信号Ｓ８のうち、フラグＦ１を除いた映像信号だけを入力し、この映像信号を、発光スキームの連続する階調だけで表現し、かつ、もとの階調数をその連続する階調だけで多諧調化して（この映像信号Ｓ８を発光スキームが連続する階調に変換した映像信号を映像信号Ｓ９とする）出力する。
【００５３】
切替回路８０は、切替回路４０が出力する映像信号Ｓ６を遅延回路６０において１フィールド分だけ遅延させた映像信号Ｓ８を入力し、比較回路２０が出力する動き検出結果Ｓ５及び映像信号Ｓ６（具体的には、遅延回路６０を介して出力される映像信号Ｓ８）に付加されたフラグＦ１に基づいて判定回路５０を介して出力される切替判定結果Ｓ７の有無により、点灯パターンを切り替える。
上述したように、動き検出結果Ｓ５が動き有りを示すとともに、フラグＦ１が立っている場合、判定回路５０は、切替回路８０に何も出力しないことから、切替回路８０は、点灯パターンを切り替えずに、遅延回路６０から入力する映像信号Ｓ８をＰＤＰ表示装置（図示せず）に出力する。
同様に、動き検出結果Ｓ５が動き無しを示すとともに、フラグＦ１が立っている場合、判定回路５０は、切替回路８０に何も出力しないことから、切替回路８０は、点灯パターンを切り替えずに、遅延回路６０から入力する映像信号Ｓ８をＰＤＰ表示装置に出力する。
一方、動き検出結果Ｓ５が動き有りを示すとともに、フラグＦ１が立っていない場合、判定回路５０は、切替判定結果Ｓ７として、比較回路２０の出力信号Ｓ５をそのまま切替回路８０に出力することから、切替回路８０は、点灯パターンを切り替えて、階調数限定／多階調化処理回路７０から入力する映像信号Ｓ９をＰＤＰ表示装置に出力する。
一方、動き検出結果Ｓ５が動き無しを示すとともに、フラグＦ１が立っていない場合、判定回路５０は、切替回路８０に何も出力しないことから、切替回路８０は、点灯パターンを切り替えずに、遅延回路６０から入力する映像信号Ｓ８をＰＤＰ表示装置に出力する。尚、このとき、切替回路８０は、点灯パターン切り替え処理後、映像信号Ｓ８、Ｓ９よりフラグＦ１を除いて出力する。
以上換言すれば、切替回路８０は、遅延回路６０の出力信号Ｓ８、階調数限定／多階調化処理回路７０の出力信号Ｓ９のうちフラグを除いた映像信号だけ、及び、判定回路５０の出力信号Ｓ７を入力し、判定回路５０の出力信号Ｓ７が有る時には階調数限定／多階調化処理回路７０側の出力信号Ｓ９を、無い時には遅延回路６０側の出力信号Ｓ８を出力する。
【００５４】
次に、図面を参照して、本実施形態の映像処理回路１の動作について説明する。
今、図１３のＡの部分のように、前フィールドに対して現フィールドの動き部分の信号変化が大きくなる方向の場合について考える。このとき、比較回路２０は、映像信号Ｓ１と映像信号Ｓ３とを入力し、映像信号Ｓ１の信号レベルと映像信号Ｓ３の信号レベルとを比較し、映像信号Ｓ１の信号レベルが映像信号Ｓ３の信号レベルより大きいことから、動き検出結果Ｓ４を切替回路４０に出力する。これにより、図１３のＡ部分において、比較回路２０の切替回路４０側に「動き有り」という結果が出力される。
【００５５】
これに対して、動き部分の信号変化が図１３のＢの部分のように小さくなる方向の場合について考える。このとき、比較回路２０は、映像信号Ｓ１と映像信号Ｓ３とを入力し、映像信号Ｓ１の信号レベルと映像信号Ｓ３の信号レベルとを比較し、映像信号Ｓ１の信号レベルが映像信号Ｓ３の信号レベルより小さいことから、動き検出結果Ｓ５を判定回路５０に出力する。これにより、図１３のＢ部分において、比較回路２０の判定回路５０側から「動き有り」という結果が出力される。
【００５６】
図１３のＡの部分のように、信号変化が大きくなる方向の場合、切替回路４０は、動き検出結果Ｓ４を入力し、階調数限定／多階調化回路３０側から入力する映像信号Ｓ２を選択する。この場合、比較回路２０の判定回路５０側において、動き検出結果Ｓ５は出力されない。
尚、階調数限定／多階調化回路３０側を選択した場合には、切替回路４０の出力に映像信号Ｓ２のビット列に、さらに、該当画素に多階調化処理をしたことを示すフラグＦ１を付加して映像信号Ｓ６を出力する。
【００５７】
切替回路４０から出力される映像信号Ｓ６は、遅延回路６０において、１フィールド分遅延されて、映像信号Ｓ８として、判定回路５０、階調数限定／多階調化回路７０、切替回路８０に出力される。
判定回路５０は、映像信号Ｓ６に付加されたフラグＦ１を入力し、点灯パターンの切替判定結果Ｓ７を切替回路８０に出力する。
ここで、判定回路５０は、既に処理をされた画素であることを示すフラグＦ１が有る場合、切替回路８０に何も出力しない（つまり、切替判定結果Ｓ７を出力しない）。
よって、階調数限定／多階調化回路３０において、一度処理をされた映像信号は、そのまま切替回路８０を通過して、ＰＤＰ表示装置に出力される。
【００５８】
この様子を図２のタイミングチャートを参照して説明すると、図２のＡ部分において、切替回路４０は、階調数限定／多階調化回路３０での処理をＯＮとし、フラグＦ１を立てて出力する。切替回路８０は、判定回路５０において、フラグＦ１有りに基づいて、切替判定結果Ｓ７が入力されないことから、階調数限定／多階調化回路７０での処理をＯＦＦとして、映像信号Ｓ８をＰＤＰ表示装置に出力する。
【００５９】
次に、図１３のＢの部分のように、信号変化が小さくなる方向の場合を説明する。このとき、比較回路２０は、映像信号Ｓ１と映像信号Ｓ３とを入力し、映像信号Ｓ１の信号レベルと映像信号Ｓ３の信号レベルとを比較し、映像信号Ｓ１の信号レベルが映像信号Ｓ３の信号レベルより小さいことから、動き検出結果Ｓ５を判定回路５０に出力する。これにより、比較回路２０において、判定回路５０側から動き有りの判定が出力される。
よって、１フィールド遅延した遅延回路６０の出力にフラグが無ければ、階調数限定／多階調化回路７０側が選択され、該当画素に対して、擬似輪郭低減処理がなされる。
すなわち、比較回路２０の判定回路５０側において、動き検出結果Ｓ５が出力され、切替回路４０側には、動き検出結果Ｓ４が出力されないことから、切替回路４０は、フラグＦ１を立てず、映像信号Ｓ１を選択する。
【００６０】
切替回路４０から出力される映像信号Ｓ６は、同様に、遅延回路６０において、１フィールド分遅延されて、映像信号Ｓ８として、判定回路５０、階調数限定／多階調化回路７０、切替回路８０に出力される。
判定回路５０は、比較回路２０が出力する動き検出結果Ｓ５を入力し、点灯パターンの切替判定結果Ｓ７を切替回路８０に出力する。
【００６１】
この様子を図２のタイミングチャートを参照して説明すると、図２のＢ部分において、切替回路４０は、階調数限定／多階調化回路３０での処理をＯＦＦとし、フラグＦ１を立てずに出力する。切替回路８０は、判定回路５０において、フラグＦ１無し、動き検出結果Ｓ５有りに基づいて、切替判定結果Ｓ７が入力されることから、階調数限定／多階調化回路７０での処理をＯＮとして、映像信号Ｓ９をＰＤＰ表示装置に出力する。
【００６２】
すなわち図１３のＢ部分に対しては、前のフィールドに遡って処理されるので、階調８の部分が階調７と１５の発光スキームが連続した階調で表現される。
すると、図１３におけるＡ部分の前フィールドの階調と現フィールドの階調との関係と同じように、信号の変化の大小を問わず、擬似輪郭の低減処理が実行されることになる。
【００６３】
実際の画像は次々に連続するフィールドが処理されるので、先に説明した、信号変化が「小→大」と判断された画素でも、次のフィールドになった時に、今度は「大→小」と判断され、遡って処理される場合もあり得る。
例えば、図３の（ａ）〜（ｃ）に示すような背景の階調７／２５５、背景の階調９／２５５の上に、８／２５５の四角いウィンドウが表示されている画面において（ａ〜ｃは時系列的な画面変化を示し、ａ→ｃ方向に時間が進行するものとする）、四角いウィンドウが背景の階調９／２５５の上に移動することにより、信号レベルが８から９に変化した場合、信号レベルが「大→小」へ変化したと判定され、そのまま（判定回路５０がなければ）では、前フィールドに遡って擬似輪郭の低減処理が実行されてしまう。
このように、すでに処理された画素に対して２重に処理が行われることは、すでに発光スキームが連続する階調だけで表現されているので不要なことであり、さらに階調特性の上でも望ましくない。
【００６４】
そこで、本実施形態の映像処理回路１によれば、先に説明したフラグ付加の処理と判定回路５０を入れて、２重の処理が行われることを防止する。すなわち、図４に示すように、（ｂ）のフィールドにおいて、四角ウィンドウが移動してきた画素部分では、信号レベルが「小→大」へ変化したと判定され、切替回路４０は、上述したように、動き検出結果Ｓ４を入力し、階調数限定／多階調化回路３０側から入力する映像信号Ｓ２を選択し、フラグＦ１を付加して映像信号Ｓ６を出力する。
【００６５】
切替回路４０から出力される映像信号Ｓ６は、遅延回路６０において、１フィールド分遅延されて、映像信号Ｓ８として、判定回路５０、階調数限定／多階調化回路７０、切替回路８０に出力される。
判定回路５０は、映像信号Ｓ６に付加されたフラグＦ１を入力し、点灯パターンの切替判定結果Ｓ７を切替回路８０に出力する。
ここで、判定回路５０は、既に処理をされた画素であることを示すフラグＦ１が有る場合、切替回路８０に何も出力しない（つまり、切替判定結果Ｓ７を出力しない）。
すなわち、図４に示すように、（ｃ）のフィールドにおいて、さらに四角ウィンドウが背景の階調９／２５５の上に移動してきた画素部分では、信号レベルが「大→小」へ変化したと判定され、切替回路８０は、フラグＦ１がなければ、前フィールドに遡って処理を行うが、本実施形態の映像処理回路１によれば、フラグＦ１により、一度処理をされた映像信号を識別するため、それ以上処理を行うことはない。
よって、階調数限定／多階調化回路３０において、一度処理をされた映像信号は、そのまま切替回路８０を通過して、ＰＤＰ表示装置に出力される。
なお、比較回路２０及び判定回路５０は、予め分かっている擬似輪郭の発生する階調の近傍についてだけ検出を行うので、そうでない部分について処理が行われることは無い。
したがって、無駄な処理負荷の発生を防止することが出来る効果が得られる。
【００６６】
以上説明したように、本実施形態の映像処理回路１によれば、映像信号Ｓ１と、１フィールド分だけ遅延させた映像信号Ｓ３とを入力して、映像信号Ｓ１の信号レベルが映像信号Ｓ３の信号レベルより大きい場合、動き検出結果Ｓ４を出力し、映像信号Ｓ１の信号レベルが映像信号Ｓ３の信号レベルより小さい場合、動き検出結果Ｓ５を出力し、動き検出結果Ｓ４に基づいてフラグＦ１を立てるとともに点灯パターンを切り替えた映像信号Ｓ６を１フィールド分だけ遅延させた映像信号Ｓ８を出力し、動き検出結果Ｓ５及びフラグＦ１に基づいて映像信号Ｓ８の点灯パターンを切り替える。
したがって、発光スキームの変化方向によらず、擬似輪郭の発生を未然に防ぐことができる効果が得られる。
【図面の簡単な説明】
【００６７】
【図１】映像処理回路１の構成図。
【図２】切替回路４０、８０における処理のタイミングチャート。
【図３】２重の多階調化処理が行われうる画面例。
【図４】切替回路４０、８０における処理のタイミングチャート。
【図５】２５６階調を表示する時のサブフィールドシーケンス。
【図６】２５６階調表示の時に、実際に表示される階調と点灯するサブフィールドの組み合わせを表す説明図。
【図７】従来のサブフィールドシークエンスを用いて階調表現された画面例。
【図８】図７に示す階調１２８／２５５のウィンドウ部分が右にスクロールlする様子を示す説明図。
【図９】擬似輪郭の発生原理図。
【図１０】サブフィールド配列表。
【図１１】発光スキームが連続する階調の点灯パターンを示す説明図。
【図１２】従来の擬似輪郭の発生防止のための動き検出回路の構成図。
【図１３】図７及び８のようなウィンドウで階調の組み合わせが７と８である場合の画面例。
【図１４】図１３のＡ、Ｂそれぞれの箇所の、前フィールドの階調と現フィールドに適用される階調の説明図。
【符号の説明】
【００６８】
１…映像処理回路
１０、６０…遅延回路
２０…比較回路
３０、７０…階調数限定／多階調化処理回路
４０、８０…切替回路
５０…判定回路
【図１】
2005049683.tif 000003
【図２】
2005049683.tif 000004
【図３】
2005049683.tif 000005
【図４】
2005049683.tif 000006
【図５】
2005049683.tif 000007
【図６】
2005049683.tif 000008
【図７】
2005049683.tif 000009
【図８】
2005049683.tif 000010
【図９】
2005049683.tif 000011
【図１０】
2005049683.tif 000012
【図１１】
2005049683.tif 000013
【図１２】
2005049683.tif 000014
【図１３】
2005049683.tif 000015
【図１４】
2005049683.tif 000016